(57)【要約】【課題】  山林中などの障害物の多い場所で測量する場合には、周辺の障害物を取り除くことなく、ＧＰＳアンテナを基準点の鉛直方向に位置させ、測量に適したポールの高さを正確に設定し、ポールが設置された後の最適な位置を測量が完了するまでの間維持することが困難であった。【解決手段】  基準点上に設置される基準脚と、該基準脚に接続され伸縮自在な継管群と、継管の周方向に回転可能であって、前記継管群の一定高さ位置に係止され、前記継管群を固定させるために放射方向に引っ張る引っ張り具と、前記継管群の先端に装着され周面が円筒形の求心金具と、前記求心金具の上部に着脱可能に装着された巻尺固定金具と、前記巻尺固定金具を挟んで求心金具にＧＰＳアンテナを装着可能とし、求心金具及びＧＰＳアンテナの軸中心が基準脚の軸中心と一致しており、前記求心金具の周面には、周方向に間隔をあけて軸方向に長い多数本の求心線が設けられたことを特徴とするＧＰＳアンテナ用測量ポール。【選択図】  図３
2010232822.tif 000002
【特許請求の範囲】
【請求項１】
基準点上に設置される基準脚と、該基準脚に接続され伸縮自在な継管群と、前記基準脚に開閉可能に取付けられた三脚とを備えるＧＰＳアンテナ用測量ポールであって、
継管の周方向に回転可能であって、前記継管群の一定高さ位置に係止され、前記継管群を固定させるために放射方向に引っ張る引っ張り具と、
前記継管群の先端に装着され周面が円筒形の求心金具と、
前記求心金具の上部に着脱可能に装着された巻尺固定金具と、
前記巻尺固定金具を挟んで求心金具にＧＰＳアンテナを装着可能とし、
求心金具及びＧＰＳアンテナの軸中心が基準脚の軸中心と一致しており、
前記求心金具の周面には、周方向に間隔をあけて軸方向に長い多数本の求心線が設けられたこと
を特徴とするＧＰＳアンテナ用測量ポール。
【発明の詳細な説明】
【技術分野】
【０００１】
本発明は、ＧＰＳアンテナを、該アンテナの中心と測量基準点とを鉛直に一致させるために使用されるＧＰＳアンテナ用測量ポールに関する。
【背景技術】
【０００２】
従来からＧＰＳアンテナを先端に設置したポールを立設し、該ポール上部に取付けられた目印に対してトランシットを用いて視準しながら、ＧＰＳアンテナが地上に設けられた基準点の鉛直方向に位置するように調節していた。
【先行技術文献】
【特許文献】
【０００３】
【特許文献１】特許第２６０４０９５号公報
【発明の概要】
【発明が解決しようとする課題】
【０００４】
しかし従来技術では、山林中など周辺に樹木等の障害物が近接する場所で測量する場合には、これらの障害物を伐採するなどして取り除き、周辺の環境をＧＰＳアンテナの信号受信機能が阻害されない環境としなければ正確な測量を完了することができないという問題があった。
【課題を解決するための手段】
【０００５】
そこで上記課題を解決するため、本願に係る発明は、基準点上に設置される基準脚と、該基準脚に接続され伸縮自在な継管群と、前記基準脚に開閉可能に取付けられた三脚とを備えるＧＰＳアンテナ用測量ポールであって、継管の周方向に回転可能であって、前記継管群の一定高さ位置に係止され、前記継管群を固定させるために放射方向に引っ張る引っ張り具と、前記継管群の先端に装着され周面が円筒形の求心金具と、前記求心金具の上部に着脱可能に装着された巻尺固定金具と、前記巻尺固定金具を挟んで求心金具にＧＰＳアンテナを装着可能とし、求心金具及びＧＰＳアンテナの軸中心が基準脚の軸中心と一致しており、前記求心金具の周面には、周方向に間隔をあけて軸方向に長い多数本の求心線が設けられたことを特徴とするＧＰＳアンテナ用測量ポールである。
【０００６】
継管群は、多段式の筒状構造を構成していることが好ましく、上段の管が下段となる管の内部に出入り可能に収納され、継管群を延伸させる場合には上段の管を下段の管の内側から順次引き出して延伸させることができるものであることが好ましい。このような構造を有することにより、ＧＰＳアンテナ用測量ポールを使用しない場合には継管群を短くして運ぶことができ、障害物の多い山林中を運ぶのに便利である。
【０００７】
また、継管群を構成する継管は金属で構成されていてもよいが、カーボンファイバーまたはグラスファイバーによって構成されていることが好ましく、また、下方の継管はグラスファイバーを用い、上方の継管にはカーボンファイバーを用いる等して継管ごとにこれらの素材を使い分けて用いても好ましい。カーボンファイバーまたはグラスファイバーを用いることによって、継管群を金属で構成する場合よりも重量を軽減でき、さらに継管群を延伸させた際に発生する上部のしなりによりＧＰＳアンテナが基準点の鉛直上の位置からずれを生じることを軽減させることができる。
【０００８】
求心金具の周面に形成された求心線は、周面の一部に設けられていても良いが、周面の全周にわたって設けられていることが好ましい。ＧＰＳアンテナ用測量ポールを立設させる際に、ＧＰＳアンテナ用測量ポールの周囲のいずれの方向からでも求心線を視準することができるからである。
【発明の効果】
【０００９】
本願発明によれば、障害物の近接する場所であっても、巻尺固定金具によりＧＰＳアンテナがその信号受信機能を阻害されない高さまで正確にＧＰＳアンテナを上昇させることができ、求心金具の周面に設けられた求心線によりＧＰＳアンテナの直下近傍からでもＧＰＳアンテナを基準点の鉛直方向に設置するための視準が容易であり、さらに、引っ張り具によりＧＰＳアンテナ用測量ポール設置時及び設置後においても測量が完了するまでの間最適なＧＰＳアンテナの位置を維持することが容易となる。
このため、山林中などの障害物となる樹木等が近接する場所においても周辺の障害物を取り除くことなくＧＰＳアンテナ用測量ポールの設置を正確かつ簡便に行うことができ、正確な測量を行うことができるものである。
【図面の簡単な説明】
【００１０】
【図１】ＧＰＳアンテナ９を設置した状態のＧＰＳアンテナ用測量ポール１の正面図である。
【図２】引っ張り具５の斜視図である。
【図３】継管群４の上部からＧＰＳアンテナ９までの部品構成を示す図である。
【図４】継管群４の上部からＧＰＳアンテナ９までの部品構成を示す図である。
【図５】本願発明を設置した状態の全体を示す図である。
【発明を実施するための形態】
【００１１】
以下、図を参照しながら本願発明の実施形態についてさらに詳しく説明する。
図１において、ＧＰＳアンテナ用測量ポール１は、基準脚２、三脚３、継管群４、引っ張り具５、先端金具６、求心金具７、巻尺固定金具８より構成されるものであり、ＧＰＳアンテナ用測量ポール１の上端にＧＰＳアンテナ９が設置されて使用される。なお、ＧＰＳアンテナ９から吊下がっている線はアンテナ線９１である。
【００１２】
基準脚２の下端には、下方に向かって円錐状に先鋭化して形成された下端金具２１が取付けられている。基準脚２を設置する際には、基準点Ａ上に軸中心を合わせて載置したアダプター１１の軸中心上に下端金具２１の頂点を一致させて設置する。
なお、アダプター１１の上端面には軸中心を頂点とした円錐状の凹部が形成されていることが好ましく、該凹部が形成されていることによりアダプター１１の軸中心に一致させた下端金具２１の頂点がＧＰＳアンテナ用測量ポール１の設置作業の過程でずれてしまうことを防止することができる。
【００１３】
また、基準脚２の下部には軸ずれ防止具２２が備えられており、軸ずれ防止具２２に接続されたワイヤーを地面に固定することにより、基準脚２が基準点Ａからずれることを防止することができる。
【００１４】
三脚３は３本の脚によって構成されており、それぞれの脚が基準脚２の上部に上下方向に回動可能に取付けられている。三脚３は回動可能であることにより三脚３を開閉させ適当な状態に延ばして使用することができる。また、三脚３はそれぞれの脚が別個に伸縮可能に構成されていることが好ましい。
【００１５】
継管群４は、上部を構成するものほど外径が細くなる複数本の継管４１によって構成されており、伸縮時において上部の継管４１がその下に位置する継管４１の内部に入り込むことができるように構成されている。
【００１６】
また、本実施例における継管群４を構成する継管４１はカーボンファイバーによって成形されている。
【００１７】
本実施例において、引っ張り具５は円環５２の外周に四つの小円環５１が配置されて形成されている。円環５２は外環５３と内環５４とを連結盤５５によって一体に連結して形成している。引っ張り具５は、図２、図３及び図４に示すように前記円環５２の内環５４の中に継管４１を挿通し、一の継管４１ａとその下に位置する継管４１ｂとの間に形成される継部分に段差５６を生ずるように構成し、この段差５６に内環５２の下端５７を係止させている。引っ張り具５は、この段差５６に係止した一定高さ位置において継管４１の周方向に回転可能に設置される。
【００１８】
引っ張り具５は継管群４の上部部分の段差５６で係止して用いることが適しているが、本実施例においては、引っ張り具５は継管群４の上部部分及び中間部分にそれぞれ一ヶ所ずつ設置することで、ＧＰＳアンテナ用測量ポール１をより正確な位置に設置することができる。
【００１９】
前記小円環５１はそれぞれワイヤー係止具として機能し、それぞれにはＧＰＳアンテナ用測量ポール１を四方向から固定するためのワイヤーＷが接続される。小円環５１に接続されたワイヤーＷは、引っ張り具５を放射状に引っ張りながら緊張され、下端を杭に接続されて地面に固定される。
【００２０】
また、引っ張り具５が継管４１の周方向に回転可能であることにより、ワイヤーＷからＧＰＳアンテナ用測量ポール１に対して軸回転方向に張力がかかることを最小となるように調節することができ、ワイヤーＷの緊張作業の効率的に行うことができる。
【００２１】
図３に示すように、継管群４の上端には求心金具７を取付けるための先端金具６が、継管群４の上端から上方向に突出して形成されている。先端金具６は円柱形に形成されており、その側周面にはネジ穴６１が形成され、該ネジ穴６１には締込ネジ６２を取付けることができる。
【００２２】
求心金具７は、図３に示すように円筒状の胴部７１と該胴部７１の上端面中心に上方に突出して形成されたアンテナ保持部７２より構成されている。胴部７１は、内部に先端金具６の外形よりも僅かに大きい内径を有する円筒状の空洞７３を有しており、求心金具７を設置する場合には空洞７３に先端金具６を挿し入れて求心金具７によって先端金具６を被覆するように設置する。
【００２３】
また、求心金具７を構成する胴部７１の周側面には求心金具７を設置した際に先端金具６に形成されたネジ穴６１と対応する位置に挿入孔７４が形成されている。挿入孔７４は、前記締込ネジ６２を求心金具７の外側からネジ穴６１に差し込むことができる大きさに形成されている。締込ネジ６２を求心金具７の外側から締め込むことによって求心金具７の内面を先端金具６の外面に圧接し、求心金具７を固定することができる。
【００２４】
本実施例では、挿入孔７４から求心金具７の下端まで切れ込みが形成されており、締込ネジ６２を取付けた状態の先端金具６に求心金具７を上方から挿し入れて設置することができるように構成されている。
【００２５】
胴部７１の周面には、求心線１０が周方向に均等に間隔をあけて求心金具７の下端面に対して垂直方向に形成されている。本実施例では、求心線１０は胴部７１の周面全周にわたって形成されている。
【００２６】
巻尺固定金具８は、図３に示すようにアンテナ保持部７２を挿入できる通孔８２が形成された板状体８１と、該板状体８１の外縁部に形成された切欠き８３と、該切欠き８３の奥辺部に設けられた狭持部８４とから形成されている。
【００２７】
なお、巻尺固定金具８は上記構成に制限されるものではなく、例えば構成する板状体８１の外縁部は直線状であって切欠き８３を備えておらず、狭持部８４が該外縁部に形成されていても良い。
【００２８】
狭持部８４は、垂直基板８５、垂直当板８６、及び止め金８７とから構成されており、図４に示すように巻尺８８を垂直基板８５と垂直当板８６の間に挟み、巻尺８８の原点目盛の位置を調節して止め金８７で固定することによって挟持する。狭持部８４を用いることによって巻尺８８の原点目盛りの調節が容易であり、ＧＰＳアンテナ用測量ポール１を設置した時の高さの測定を簡便に行うことができる。
【００２９】
ＧＰＳアンテナ９は、ＧＰＳアンテナ９の下面中心部に形成された雌ネジ穴を雄ネジに形成されたアンテナ保持部７２に差し込んで固定される。ＧＰＳアンテナ９が固定される際には、図４に示すようにＧＰＳアンテナ９と求心金具７との間において巻尺固定金具８も上下方向から圧接されて固定される。
【００３０】
本願発明の使用方法について説明する。本願発明を持ち運ぶ際には、継管群４の上段を構成する継管４１を、下段を構成する継管４１の内部に順次収納することにより短くして持ち運ぶことができる。また、三脚３は上下方向に回動可能であるため、持ち運ぶ際には三脚３が基準脚２に密着するように折りたたむことができる。
【００３１】
また、引っ張り具５、求心金具７、巻尺固定金具８はＧＰＳアンテナ用測量ポール１から取り外すことができるので、全体を小さくまとめて山林中等においても容易に持ち運ぶことができる。
【００３２】
設置箇所においては、図５に示すように、あらかじめ地上に設置されている三角点等の基準点Ａ上に、中心を合わせてアダプター１１を載置した後、下端金具２１の頂点をアダプター１１の中心に一致させて設置する。基準点Ａ上にアダプター１１を設置するのは下端金具２１を直接設置して基準点Ａを破損させないためである。
【００３３】
下端金具２１を設置した後は、ＧＰＳアンテナ用測量ポール１を立設させると共に、引っ張り具５、求心金具７、巻尺固定金具８、及びＧＰＳアンテナ９を設置させた継管群４を延ばし、三脚３を開いてＧＰＳアンテナ用測量ポール１を仮に固定する。
【００３４】
このとき、求心金具７及びＧＰＳアンテナ９の軸中心は基準脚２の軸中心と一致するように設置する。
【００３５】
ＧＰＳアンテナ用測量ポール１を仮に固定する際には、基準脚２に取付けた水準器２３が水平を示すように設置しておくと、求心金具７によるＧＰＳアンテナ用測量ポール１の鉛直設置作業をより効率的に行うことができる。
【００３６】
求心金具７の円筒形の胴部７１の周面には、求心線１０が設けられている。求心線は胴部７１の周面に、周方向に間隔１０１をあけて軸方向Ｘに長く多数本が設けられている。間隔１０１は０．５〜５ｍｍとされ、数本おきに長く伸ばした求心線１０ａを設けている。
【００３７】
立設されたＧＰＳアンテナ用測量ポール１は、継管群４の上端に位置する求心金具７の周面に設けられた求心線１０を、トランシットを用いて視準しながら鉛直となるように設置される。
【００３８】
この際、引っ張り具５に備えられた小円環５１にはそれぞれワイヤーＷの一端が接続され、他端には杭等に接続され、地上との間で緊張させることができるように設置される。そして、ワイヤーＷの張力を調節しながら求心線１０の視準作業と合わせてＧＰＳアンテナ用測量ポール１が正確に鉛直状態となるように調節する。
【００３９】
このとき、ワイヤーＷの一端が接続された引っ張り具５は継管群４の周方向に回転可能に設置されており、前記ワイヤーＷの張力調整の際にＧＰＳアンテナ用測量ポール１に対して軸回転方向に力がかかる場合であっても、引っ張り具５自身を回転させて軸回転方向の力が最小になるように調節することができる。
【００４０】
巻尺固定金具８には巻尺８８の一端部が挟持されており、ＧＰＳアンテナ用測量ポール１を立設する際に、ＧＰＳアンテナ用測量ポール１の高さを容易に測定することができる。
【００４１】
ＧＰＳアンテナ用測量ポール１を設置した際には、基準脚２の下部に設けられた軸ずれ防止具２２に、図示しないがワイヤーの一端を接続し、該ワイヤーの他端を地面に固定することにより、基準脚２が基準点Ａからずれることを防止する。
【００４２】
以上のようにして設置されたＧＰＳアンテナ用測量ポール１は、従来技術によるポールよりも容易にかつ安定にＧＰＳアンテナ９を基準点Ａの鉛直上方向の所望の高さに設置することができ、より正確な測量を行うことができるものである。
【符号の説明】
【００４３】
１  ＧＰＳアンテナ用測量ポール
２  基準脚
３  三脚
４  継管群
５  引っ張り具
６  先端金具
７  求心金具
８  巻尺固定金具
９  ＧＰＳアンテナ
１０  求心線
【図１】
2010232822.tif 000003
【図２】
2010232822.tif 000004
【図３】
2010232822.tif 000005
【図４】
2010232822.tif 000006
【図５】
2010232822.tif 000007